(57)【要約】【課題】ユーザーの検索目標となる可能性が高い順に、検索された施設名称を表示することが可能な車両用施設検索装置を提供すること。【解決手段】ＥＣＵ８は、検索された施設情報の各々における優先度をそれぞれ算出し、算出された優先度が大きい順に、当該施設情報に含まれる施設名称をリストアップして、ディスプレイ３に表示する。入力された文字列によっては、ＥＣＵ８は当該文字列を施設名称の一部として含む施設情報を多く検索してしまう場合がある（例えば、「とうきょう」と入力した場合、施設名称に東京ディズニーランドや東京タワー等、「とうきょう」を含む施設情報が多く検索される）。このような場合には、検索された施設情報の各々に含まれる施設名称を、算出した優先度合いが大きい順にリストアップして表示することで、ユーザーの検索目標となる可能性が高い順に、検索された施設名称を表示することが可能となる。【選択図】図１
2007109015.tif 000002
【特許請求の範囲】
【請求項１】
各施設の名称を含む施設情報を記憶する記憶手段と、入力された文字列を施設名称の一部に含む施設情報を前記記憶手段から検索する検索手段と、検索された施設情報の各々に含まれる施設名称を表示する表示手段とを有する車両用施設検索装置であって、
前記検索手段が複数の施設情報を検索した場合、検索された施設情報の各々における優先度合いを算出する算出手段を設け、
前記表示手段は、前記算出手段が算出した前記優先度合いが大きい順に、前記検索手段が検索した複数の施設情報の各々に含まれる施設名称をリストアップして表示することを特徴とする車両用施設検索装置。
【請求項２】
前記施設情報は、当該施設の認知度合いを含むものであり、
前記算出手段は、前記認知度合いが大きい場合には、前記認知度合いが小さい場合と比較して、前記優先度合いを大きく算出することを特徴とする請求項１記載の車両用施設検索装置。
【請求項３】
前記車両の現在位置を検出する位置検出手段を設け、
前記施設情報は、当該施設の属するジャンルをジャンル情報として含むものであり、
前記算出手段は、前記施設情報に所定のジャンル情報が含まれる場合、当該施設情報に含まれる位置情報と、前記位置検出手段が検出した前記車両の現在位置とから、前記車両と当該施設との距離を算出するとともに、前記算出された距離が小さい場合には、前記算出された距離が大きい場合と比較して、前記優先度合いを大きく算出することを特徴とする請求項１記載の車両用施設検索装置。
【請求項４】
前記施設情報は、当該情報が過去に参照された回数を参照回数として含むものであり、
前記算出手段は、前記施設情報に含まれる前記参照回数が大きい場合、前記参照回数が小さい場合と比較して、前記優先度合いを大きく算出することを特徴とする請求項１記載の車両用施設検索装置。
【請求項５】
前記算出手段は、前記認知度合い、前記所定のジャンル情報が含まれる場合における前記車両と当該施設との距離、前記参照回数のうち少なくとも２つ以上が前記施設情報に含まれる場合、前記施設情報に含まれる各々から算出された優先度合いを加算または乗算することにより、最終的な優先度合いを算出することを特徴とする請求項１から請求項４のいずれかに記載の車両用施設検索装置。
【請求項６】
前記車両用施設検索装置は、車両用ナビゲーション装置に組み込まれて動作することを特徴とする請求項１から請求項５のいずれかに記載の車両用施設検索装置。
【発明の詳細な説明】
【技術分野】
【０００１】
本発明は、市中の各施設の施設情報を検索する車両用施設検索装置に関する。
【背景技術】
【０００２】
従来、市中の各施設を検索する装置が公知である。例えば特許文献１の装置では、入力された名称の施設が複数検索された場合、検索された各施設の名称を表示すると共に、検索件数の表示も行う。ユーザーは前述の検索件数を参照して、さらなる絞り込み検索を行うか、既に表示された施設名称の各々から検索すべき施設の名称を指定するかを判断する。
【特許文献１】特開２０００−３３９３３９号公報
【発明の開示】
【発明が解決しようとする課題】
【０００３】
このように、従来装置では、ユーザーは検索件数を参照して、さらなる絞り込み検索を行うか、既に表示された施設名称の各々から検索すべき施設の名称を指定するかを判断した。しかしながら、従来装置では、検索された施設名称の表示方法については考慮されておらず、検索された施設名称は５０音順に表示されるのみであった。
【０００４】
本発明は、上記の問題に鑑みてなされたものであり、ユーザーの検索目標となる可能性が高い順に、検索された施設名称を表示することが可能な車両用施設検索装置の提供を目的とする。
【課題を解決するための手段】
【０００５】
上記目的を達成するために、請求項１に記載の車両用施設検索装置では、各施設の名称を含む施設情報を記憶する記憶手段と、入力された文字列を施設名称の一部に含む施設情報を記憶手段から検索する検索手段と、検索された施設情報の各々に含まれる施設名称を表示する表示手段とを有する車両用施設検索装置であって、検索手段が複数の施設情報を検索した場合、検索された施設情報の各々における優先度合いを算出する算出手段を設け、表示手段は、算出手段が算出した優先度合いが大きい順に、検索手段が検索した複数の施設情報の各々に含まれる施設名称をリストアップして表示することを特徴とする。
【０００６】
このように、本発明の車両用施設検索装置では、算出手段は、検索手段が複数の施設情報を検索した場合、検索された施設情報の各々における優先度合いを算出する。表示手段は、算出手段が算出した優先度合いが大きい順に、検索手段が検索した複数の施設情報の各々に含まれる施設名称をリストアップして表示する。入力された文字列によっては、検索手段が当該文字列を施設名称の一部として含む施設情報を多く検索してしまう場合がある（例えば、「とうきょう」と入力した場合、施設名称に東京ディズニーランドや東京タワー等、「とうきょう」を含む施設情報が多く検索される）。このような場合、算出手段が算出した優先度合いが大きい順に、検索された複数の施設情報の各々に含まれる施設名称をリストアップして表示することで、ユーザーの検索目標となる可能性が高い順に、検索された施設名称を表示することが可能となる。
【０００７】
請求項２に記載のように、施設情報は、当該施設の認知度合いを含むものであり、算出手段は、認知度合いが大きい場合には、認知度合いが小さい場合と比較して、優先度合いを大きく算出することが望ましい。認知度合いが大きい施設は、ユーザーの検索目標である施設の可能性が高いためである。
【０００８】
請求項３に記載のように、車両の現在位置を検出する位置検出手段を設け、施設情報は、当該施設の属するジャンルをジャンル情報として含むものであり、算出手段は、施設情報に所定のジャンル情報が含まれる場合、当該施設情報に含まれる位置情報と、位置検出手段が検出した車両の現在位置とから、車両と当該施設との距離を算出するとともに、算出された距離が小さい場合には、算出された距離が大きい場合と比較して、優先度合いを大きく算出することが望ましい。例えばジャンル情報がレストラン等の場合、車両との距離が近い施設は、ユーザーの検索目標である施設の可能性が高いためである。
【０００９】
請求項４に記載のように、施設情報は、当該情報が過去に参照された回数を参照回数として含むものであり、算出手段は、施設情報に含まれる参照回数が大きい場合、参照回数が小さい場合と比較して、優先度合いを大きく算出することが望ましい。過去の参照回数が大きい施設は、ユーザーの検索目標である施設の可能性が高いためである。
【００１０】
請求項５に記載のように、算出手段は、認知度合い、所定のジャンル情報が含まれる場合における車両と当該施設との距離、参照回数のうち少なくとも２つ以上が施設情報に含まれる場合、施設情報に含まれる各々から算出された優先度合いを加算または乗算することにより、最終的な優先度合いを算出することが望ましい。これにより、検索された施設情報に認知度合い、所定のジャンル情報が含まれる場合における車両と当該施設との距離、参照回数のうち少なくとも２つ以上が含まれる場合でも、各々を勘案した優先度合いの算出を行うことができる。
【発明を実施するための最良の形態】
【００１１】
図１は、本発明の一実施形態における車両用施設検索装置の全体構成を示すブロック図である。本車両用施設検索装置は、カーナビゲーション装置に組み込まれて動作する。
【００１２】
図１に示すように、位置検出器１は、地磁気センサ１１、ジャイロスコープ１２、距離センサ１３、ＧＰＳ受信機１４から構成され、車両の現在位置および進行方向の検出を行う。
【００１３】
地磁気センサ１１は、例えばパーマロイ等の環状の強磁性体に、これを励磁するための励磁巻線と、方向検出用の直交する２つの検出巻線とが巻かれた構成を持つ。そして、励磁巻線に交流電圧を印加することによって２つの検出巻線に発生する電圧を計測し、これに基づいて車両の進行方向を絶対方位として検出する。
【００１４】
ジャイロスコープ１２は、例えば水晶振動子を備え、当該振動子を振動させた際に発生する、コリオリ力に基づく振動から、車両のヨー角速度（ヨーレート）を検出する。
【００１５】
距離センサ１３は、例えば車両に搭載された図示しない車輪や車軸の回転信号に基づいて、車両の移動距離を検出する。
【００１６】
ＧＰＳ受信機１４は、人工衛星である図示しないＧＰＳ衛星から送信される位置測定用のＧＰＳ信号を受信し、車両が現在走行している地点の緯度や経度、高度を検出する。
【００１７】
位置検出器１は、前述した４つの機器の検出結果を相互に補間することによって精度の高い位置検出を行う。もちろん、要求される検出精度によっては、前述の４つの機器を全て備える必要はない。なお、車両の現在位置および進行方向の検出に関しては、ステアリングセンサ等、他のセンサによる検出信号に基づいて行うこととしてもよい。
【００１８】
地図データ入力器２は、例えば記憶媒体としてハードディスクを有し、道路情報、建造物情報、各地域の住所情報や郵便番号情報などを含む地図データと、地図画像を表示する地図画像データとを記憶する。また、地図データ入力器２は、市中の各施設における施設名称を含む施設情報を記憶する。この施設情報には、当該施設の位置情報や案内情報等に加え、当該施設の認知度（本実施形態では、１〜１０の１０段階とする）およびジャンル情報（本実施形態では、アミューズメントパークまたはレストランのいずれかとする）も含まれる。前述した地図データ、地図画像データ、および施設情報に関しては、ＣＤ−ＲＯＭやＤＶＤ−ＲＯＭ等に記憶することとしても良い。
【００１９】
ディスプレイ３は、車載用の小型ディスプレイであり、地図画像の表示を含む各種ナビゲーション表示を行う。また、施設検索を行った際の検索結果の表示も行う。前述した各種ナビゲーション表示および検索結果の表示に関しては、車載用のヘッドアップディスプレイ等を用いることとしても良い。
【００２０】
操作スイッチ４は、複数のメカニカルなスイッチから構成され、カーナビゲーション装置に対して、各種ナビゲーション動作の開始や終了を指示する。また、施設検索を行う際には、検索したい（検索目標となる）施設の施設名称の入力も行う。前述の各種ナビゲーション指示に関しては、操作キーを表示する表示パネルと、当該表示パネルに表示された操作キーを押したことを検出するタッチパネルを備えたタッチスイッチによって構成しても良い。また、音声認識を利用して行うこととしても良い。
【００２１】
リモコン５は、例えば各種機能スイッチを備えた多機能リモコンであり、リモコンセンサ６を介して、上述した操作スイッチ４とほぼ同様の操作を行うことができる。
【００２２】
ＶＩＣＳ送受信機７は、例えば小型の無線通信機であり、車外から送信される交通情報、気象情報等のＶＩＣＳ情報を受信する。また、車両情報やユーザー情報等をＶＩＣＳ情報として車外へ送信することも行う。前述のＶＩＣＳ情報の送受信に関しては、光通信機等を利用することとしても良い。
【００２３】
ＥＣＵ８は、公知のコンピュータから構成され、操作スイッチ４またはリモコン５からの指示に従って、地図画像表示を含む各種ナビゲーション動作を実行する。具体的には、ＥＣＵ８は、位置検出器１が検出した車両の現在位置および進行方向に基づいて、地図データ入力器２から車両の現在位置周辺の地図画像データを読み出し、車両の現在位置を示すマークを重畳した地図画像をディスプレイ３に表示させるとともに、スピーカ９から各種音声案内を行わせる。また、ＶＩＣＳ送受信機７が受信したＶＩＣＳ情報をディスプレイ３に重畳表示させることも行う。
【００２４】
さらに、ＥＣＵ８は、操作スイッチ４またはリモコン５から入力された文字列を施設名称の一部に含む施設情報の検索（施設検索）も行う。具体的には、ＥＣＵ８は、操作スイッチ４またはリモコン５から文字が入力されるたびに、当該文字を含め入力された全ての文字を入力順に並べた文字列と前方一致する施設名称を含む施設情報を地図データ入力器２から検索する。次に、検索された施設情報の各々における優先度をそれぞれ算出し、算出された優先度が大きい順に、当該施設情報に含まれる施設名称をリストアップして、ディスプレイ３に表示する。この動作は、ディスプレイ３にリストアップして表示された施設名称のいずれかが操作スイッチ４またはリモコン５によって選択（指定）されるまで行われる。
【００２５】
なお、前述した優先度の算出は、以下の手順で行う。まずＥＣＵ８は、位置検出器１が検出した車両の現在位置と、検索された施設名称の各々とリンクして地図データ記憶器２に記憶された施設情報の各々に含まれる位置情報とから、当該施設と車両との距離を算出する。さらに、前述の施設情報の各々に含まれるジャンル情報を調べ、当該施設のジャンルがレストランである場合には、算出した距離が０〜５ｋｍである場合に１０点とし、５ｋｍ〜１０ｋｍである場合に９点という様に、５ｋｍ増加する毎に１点ずつ減点した点を各施設情報に付与する。ジャンル情報がレストラン等の場合、車両との距離が近い施設は、ユーザーの検索目標である施設の可能性が高いためである。前述のジャンルがアミューズメントパークである場合は、算出した距離によらず１０点を付与する。最後に、各施設情報に付与した点数に対し、当該施設情報に含まれる認知度を掛け算し、得られた値（０〜１００のうちのいずれか）を最終的な優先度として算出する。こうして、認知度とジャンル情報とを勘案した優先度合いの算出を行うことができるのである。
【００２６】
外部メモリ１０は、ＥＣＵ８が各種動作を行う際の一時的な記憶領域として利用される。前述の記憶領域に関しては、例えばメモリカード等を利用することとしても良い。
【００２７】
図２は、本実施形態の車両用施設検索装置が施設検索を行う処理に関するフローチャートである。本フローチャートの処理は、操作スイッチ４またはリモコン５の図示しない検索キーが押されると実行される。
【００２８】
ステップ２０１では、ＥＣＵ８は、操作スイッチ４またはリモコン５から文字が入力されたか否かを判定する。文字が入力された場合は、ステップ２０２へ進む。未だ文字が入力されていない場合は、本ステップの判定を繰り返す。
【００２９】
ステップ２０２では、ステップ２０１で入力された文字を含め入力された全ての文字を入力順に並べた文字列を含む施設名称を地図データ入力器２から検索する。ステップ２０３では、ステップ２０２で単数または複数の施設情報が検索されたか否かを判定する。検索された場合は、ステップ２０４へ進む。検索されなかった場合は、ステップ２０１へ戻り、上述の処理を繰り返す。
【００３０】
ステップ２０４では、ステップ２０３で検索された施設情報の各々から、優先度の算出を行う。ステップ２０５では、ステップ２０３で検索された施設情報に含まれる施設名称を、ステップ２０４で算出された優先度が大きい順にリストアップしてディスプレイ３に表示し、所定時間ウェイトする。
【００３１】
ステップ２０６では、ディスプレイ３にリストアップして表示された施設名称のうち、いずれかが選択されたか否かを判定する。選択された場合は、ステップ２０７へ進み、選択された施設名称を含む施設情報をディスプレイ３に表示する。選択されなかった場合は、ステップ２０１へ戻り、上述の処理を繰り返す。
【００３２】
このように、本実施形態の車両用施設検索装置では、ＥＣＵ８は、検索された施設情報の各々における優先度をそれぞれ算出し、算出された優先度が大きい順に、当該施設情報に含まれる施設名称をリストアップして、ディスプレイ３に表示する。入力された文字列によっては、ＥＣＵ８は当該文字列を施設名称の一部として含む施設情報を多く検索してしまう場合がある（例えば、「とうきょう」と入力した場合、施設名称に東京ディズニーランドや東京タワー等、「とうきょう」を含む施設情報が多く検索される）。このような場合には、検索された施設情報の各々に含まれる施設名称を、算出した優先度合いが大きい順にリストアップして表示することで、ユーザーの検索目標となる可能性が高い順に、検索された施設名称を表示することが可能となる。
【００３３】
次に、本実施形態の変形例について説明する。本変形例の車両用施設検索装置では、施設情報が過去に参照された参照回数を考慮して、優先度の算出を行う。上述した点が、本実施形態のポイントである。
【００３４】
本実施形態のＥＣＵ８は、前述の実施形態の方法によって、検索した施設情報の各々における優先度を算出した後、当該施設情報に含まれる参照回数（当該施設情報が過去に参照された回数）の値を加算して、最終的な優先度の算出を行う。過去の参照回数が大きい施設は、ユーザーの検索目標である施設の可能性が高いためである。
【００３５】
その他の構成・動作に関しては、前述した実施形態の場合と同様であるため、説明を省略する。
【００３６】
このように、本変形例の車両用施設検索装置では、検索した施設情報の各々における優先度を算出した後、当該施設情報に含まれる参照回数の値を加算し、最終的な優先度を算出する。これにより、ユーザーの検索目標となる可能性がより高い順に、検索された施設名称を表示することが可能となる。
【００３７】
前述した実施形態および変形例では、ジャンル情報はアミューズメントパークまたはレストランのいずれかであるとした。しかしながら、これに限定されるものではなく、例えば駅やバス停などの交通施設を加えることとしても良い。また、市や県といったエリアをジャンル情報として加えることとしても良い。
【００３８】
前述した実施形態および変形例では、各施設の認知度に基づいて優先度の算出を行った。しかしながら、これに限定されるものではなく、各施設の人気度や最新情報等を加え、これらにも基づいて優先度を算出することとしても良い。これにより、ユーザーが検索しようとしている可能性が高い施設を、より上位にリストアップすることができる。
【００３９】
前述した実施形態および変形例では、ディスプレイ３にリストアップして表示された施設名称のうち、ユーザーが選択した施設名称を含む施設情報の表示を行った。これに加え、選択した施設名称の施設を目的地として設定することとしても良い。これにより、ユーザーは目的地の設定を行う手間が省け、より使い勝手が良くなる。
【００４０】
前述した実施形態および変形例では、本装置はカーナビゲーション装置に組み込まれて動作したが、これに限定されるものではなく、文字入力機能およびデータ出力機能を備えた機器であれば好適に利用できる。しかしながら、最も好適なのは、カーナビゲーション装置に組み込まれて動作した場合であることを言及しておく。
【図面の簡単な説明】
【００４１】
【図１】本発明の一実施形態における車両用施設検索装置の全体構成を示すブロック図である。
【図２】本実施形態の車両用施設検索装置が、施設検索を行う処理に関するフローチャートである。
【符号の説明】
【００４２】
１…位置検出器
１１…地磁気センサ
１２…ジャイロスコープ
１３…距離センサ
１４…ＧＰＳ受信機
２…地図データ入力器
３…ディスプレイ
４…操作スイッチ
５…リモコン
６…リモコンセンサ
７…ＶＩＣＳ送受信機
８…ＥＣＵ
９…スピーカ
１０…外部メモリ
【図１】
2007109015.tif 000003
【図２】
2007109015.tif 000004